(57)【要約】【課題】ガラス枠施錠機構の設計の自由度が大きく、ガラス枠施錠杆の鉤部を良好に支持して充分な強度を持って動作させることができるパチンコ機の施錠装置を提供する。【解決手段】上下部に鉤部１８，１９を有したガラス枠施錠杆１０が基枠体１の内側に摺動可能にその鉤部をガイド部１２ａ，１２ｂに沿って摺動可能に配設される。鉤部１８，１９をガイドするガイド部１２ａ，１２ｂは、取付板２の上下に離れた２箇所に取付板２の一部を基枠体１の前面側に直角に曲折する形態で突設される。鉤部１８，１９はガイド部１２ａ，１２ｂに対しガイドピン１２ｃ、１２ｄとガイド孔１８ａ，１９ａの係合により上下方向に摺動可能に支持される。ガラス枠施錠杆１０にはカム板８の係合部と係合可能な係合孔１６が設けられると共に、ガラス枠施錠杆１０を施錠側に付勢するばねが取り付けられる。【選択図】図２
2005160535.tif 000002
【特許請求の範囲】
【請求項１】
取付板と支持板を断面Ｌ形に形成してなる基枠体の内側に連結杆が摺動可能に配設され、該支持板の上部と下部に鉤部材が該連結杆に連結されて傾動可能に枢支され、該取付板の前面側の中間部にシリンダ錠がその錠軸を取付板に設けた孔から内側に差込むように固定され、該錠軸の先端に該連結杆と係合するカム板が固定され、該基枠体の取付板がパチンコ機の前面枠に縦に取付けられ、本体枠側に取付けられた受け金具に該鉤部材が係止されて前面枠を施錠すると共に、該前面枠内に開閉可能に装着されたガラス枠を施錠するパチンコ機の施錠装置において、
上下部に鉤部を有したガラス枠施錠杆が前記基枠体の内側に摺動可能に配設され、該鉤部をガイドするガイド部が該取付板の上下に離れた２箇所に該取付板の一部を基枠体の前面側に直角に曲折する形態で突設され、該鉤部は該ガイド部に対しガイドピンとガイド孔の係合により上下方向に摺動可能に支持され、該ガラス枠施錠杆には前記カム板の係合部と係合可能な係合孔が設けられると共に、該ガラス枠施錠杆を施錠側に付勢するばねが取り付けられ、該ガラス枠の一部に設けた係止片に該ガラス枠施錠杆の鉤部が係止されて該ガラス枠が施錠され、該シリンダ錠を前面枠の解錠時と反対方向に回してカム板を同方向に回動させ、該ガラス枠施錠杆を摺動させて該ガラス枠を解錠することを特徴とするパチンコ機の施錠装置。
【請求項２】
前記ガラス枠施錠杆は、断面Ｌ形に形成されると共に、前記基枠体の取付板と支持板の内側角部に摺動可能に配設されたことを特徴とする請求項１記載のパチンコ機の施錠装置。
【請求項３】
解錠時に前記ガラス枠を押し出すための押し出し部が、前記ガラス枠施錠杆の鉤部と対向した位置に突設され、該押し出し部には板材の端部を折り曲げて傾斜部が形成されていることを特徴とする請求項１記載のパチンコ機の施錠装置。
【発明の詳細な説明】
【技術分野】
【０００１】
本発明は、パチンコ機の前面枠を本体枠に対し施錠すると共に、前面枠内に開閉可能に取付けられたガラス枠を施錠するパチンコ機の施錠装置に関する。
【背景技術】
【０００２】
パチンコ機の前面枠を本体枠に対し施錠する施錠装置として、断面Ｌ字状の取付板と支持板からなる基枠体の内側に、連結杆が摺動可能に配設され、支持板の上部と下部に鉤部材が連結杆に連結されて傾動可能に枢支され、取付板の中間部にシリンダ錠がその錠軸を取付板に設けた孔から内側に差込むように固定され、錠軸の先端に連結杆と係合するカム板が固定されてなる基本的な構造の施錠装置が、下記特許文献１などで知られている。
【０００３】
さらに、改良されたパチンコ機の施錠装置として、パチンコ機の前面枠内に盤面を覆って開閉可能に取り付けられたガラス枠を施錠するガラス枠施錠具を、上記基枠体内に備えた施錠装置が、下記特許文献２などで知られている。このガラス枠施錠具は、基枠体内にガラス枠施錠杆を上下摺動可能に配設し、ガラス枠施錠杆には、上部と下部に鉤部が前方に向けて突設され、その鉤部を基枠体の取付板に設けたスリットに挿通させ、ガラス枠を閉じた際に、ガラス枠に設けた係止片を鉤部に係止させ、ガラス枠を施錠する構造である。
【特許文献１】実公昭５７−８８６７号公報
【特許文献２】特許第３０２５８７２号公報
【発明の開示】
【発明が解決しようとする課題】
【０００４】
しかし、上記施錠装置は、特定構造のガラス枠を前面枠内に開閉可能に装着したパチンコ機においては、良好にガラス枠を施錠することができるものの、使用可能なガラス枠の形状や大きさが制限される問題があった。すなわち、従来の施錠装置に使用されるガラス枠施錠杆は、その上下部に突設した鉤部を、基枠体の取付板に設けたスリットから前方に突出させ、且つ帯板状に形成されたガラス枠施錠杆にガイド孔を穿設し、ガラス枠施錠杆を基枠体の支持板の内側に沿って配設した際、支持板に固定したガイドピンを施錠杆のガイド孔に挿通させ、帯状のガラス枠施錠杆を基枠体の支持板の内側に沿って摺動ガイドする構造としている。このため、ガラス枠用の鉤部の位置が基枠体の支持板近傍に限定され、鉤部の位置の制限によって、適用可能なガラス枠の形状や大きさが限定され、ガラス枠の設計の自由度が制限される問題があった。つまり、基枠体内で支持板から離してガラス枠施錠杆を任意の位置に摺動可能に配設した場合、基枠体内でガラス枠施錠杆を良好に摺動可能で且つ充分な支持強度を持ってガイド保持することが難しいという課題があった。
【０００５】
本発明は、上記の課題を解決するためになされたもので、ガラス枠施錠機構の設計の自由度が大きく、ガラス枠施錠杆の鉤部を良好に支持して充分な強度を持って動作させることができるパチンコ機の施錠装置を提供することを目的とする。
【課題を解決するための手段】
【０００６】
上記の目的を達成するために、本発明の施錠装置は、取付板と支持板を断面Ｌ形に形成してなる基枠体の内側に連結杆が摺動可能に配設され、支持板の上部と下部に鉤部材が連結杆に連結されて傾動可能に枢支され、取付板の前面側の中間部にシリンダ錠がその錠軸を取付板に設けた孔から内側に差込むように固定され、錠軸の先端に連結杆と係合するカム板が固定され、基枠体の取付板がパチンコ機の前面枠に縦に取付けられ、本体枠側に取付けられた受け金具に鉤部材が係止されて前面枠を施錠するパチンコ機の施錠装置において、上下部に鉤部を有したガラス枠施錠杆が基枠体の内側に摺動可能に配設され、鉤部をガイドするガイド部が取付板の上下に離れた２箇所に取付板の一部を基枠体の前面側に直角に曲折する形態で突設され、鉤部はガイド部に対しガイドピンとガイド孔の係合により上下方向に摺動可能に支持され、ガラス枠施錠杆にはカム板の係合部と係合可能な係合孔が設けられると共に、ガラス枠施錠杆を施錠側に付勢するばねが取り付けられ、ガラス枠の一部に設けた係止片にガラス枠施錠杆の鉤部が係止されてガラス枠が施錠され、シリンダ錠を前面枠の解錠時と反対方向に回してカム板を同方向に回動させ、ガラス枠施錠杆を摺動させてガラス枠を解錠することを特徴とする。
【０００７】
また、上記施錠装置において、ガラス枠施錠杆を断面Ｌ形に形成すると共に、基枠体の取付板と支持板の角部に摺動可能に配設して構成することができる。
【０００８】
さらに、上記施錠装置において、解錠時にガラス枠を押し出すための押し出し部をガラス枠施錠杆の鉤部と対向した位置に突設し、押し出し部には板材の端面を曲げて傾斜部を形成することができる。
【発明の効果】
【０００９】
上記構成の施錠装置は、前面枠を本体枠に対し閉じると、施錠装置の上下の鉤部材が本体枠側の受け金具に当って下方に傾動しながら係止され、前面枠が施錠状態となる。
【００１０】
それを解錠する場合は、キーによってシリンダ錠を回し、カム板を回転させると、カム板の係合部が連結杆と係合してこれを摺動させ、上下の鉤部材が傾動する。この鉤部材の傾動によって、本体枠の受け金具との係合が外れ、前面枠は開放可能な状態となる。
【００１１】
一方、係止片を設けたガラス枠を前面枠に対し閉じると、ガラス枠内の係止片が基枠体の取付板から正面側（シリンダ錠側）に突出したガラス枠施錠杆の鉤部に当り、これを摺動させながら閉じられ、このとき、鉤部に係止片が係止され、ガラス枠は施錠状態となる。
【００１２】
ガラス枠を解錠する場合は、シリンダ錠のキーを逆方向に回して、カム板を同方向に回動させる。このとき、カム板の係合部がガラス枠施錠杆の係合孔と係合してこれを摺動させる。このガラス枠施錠杆の摺動によって、ガラス枠の係止片と鉤部の係合が外れ、ガラス枠は解錠される。
【００１３】
本施錠装置は、基枠体の取付板の一部を正面側に直角に折り曲げてガイド部を形成し、そのガイド部に対しガイドピンとガイド孔を介してガラス枠施錠杆の鉤部を上下摺動可能に支持させた構造であるから、施錠時に鉤部がガラス枠の係止片から受ける荷重を保持して円滑に摺動し、ガラス枠の施錠及び解錠を良好に行うことができる。さらに、ガイド部は、基枠体の取付板の一部を直角に曲折して形成するため、任意の位置に設けることができ、そこにガラス枠施錠杆の鉤部が摺動可能に支持されるため、鉤部の位置を任意に決めることができ、設計の自由度が大きくなり、各種の大きさや形状のガラス枠に適用することができる。
【００１４】
また、請求項２のように、ガラス枠施錠杆を断面Ｌ形の枠状（アングル材形）に形成し、基枠体の取付板と支持板の角部にそのガラス枠施錠杆を摺動可能に配設した構造とすれば、ガラス枠施錠杆の強度を大きくできるとともに、円滑に摺動可能に保持することができ、その構造を簡単化することができる。
【００１５】
さらに、請求項３のように、解錠時にガラス枠を押し出すための押し出し部をガラス枠施錠杆の鉤部と対向した位置に突設し、押し出し部に形成した押し出すための傾斜部を、板材の端部を曲げて形成すれば、板材の端面より面積が大きく円滑な面で傾斜部を形成することができ、ガラス枠を押し出す際、ガラス枠を良好に押し出して開放することができる。
【発明を実施するための最良の形態】
【００１６】
以下、本発明の実施例を図面に基づいて説明する。図１は施錠装置の正面図を、図２はその左側面図を、図３はその右側面図を、図４はその背面図を、図５はその分解右側面図を示している。
【００１７】
図中、１は取付板２と支持板３を略直角に断面Ｌ字形に曲折して一体成形してなる縦長の基枠体で、基枠体１の支持板３の上部の少し下寄りと下部に鉤部材用の枢支部が形成されている。取付板２には複数の取付孔が穿設され、また、取付板２の中間部から下寄りの部分に幅広部が形成され、その幅広部には後述のシリンダ錠７が取り付けられる。さらに、取付板２の上部と中間部下寄りに切り欠き凹部が形成され、その切り欠き凹部の縁部から前方に向けて、取付板２の一部が直角に曲折され、その前面側に曲折された部分に、ガラス枠施錠杆の鉤部用のガイド部１２ａ、１２ｂが形成されている。
【００１８】
支持板３の枢支部には、鉤部材４、５が下方に傾動可能に、枢支ピン４ａ，５ａにより枢支される。鉤部材４、５は三角形頭部を有しその中間部に係合凹部を有し、背面側に突き出すように枢支ピン４ａ，５ａで枢支されている。基枠体１の内側に、図３に示すように、支持板３に沿って連結杆６が摺動可能に配設され、連結杆６の上端は、鉤部材４の末端に連結ピン４ｂで連結され、その下端は同様に下部の鉤部材５の末端に連結ピン５ｂで連結される。図５に示すように、連結杆６の中間部にはガイド孔６ｂが形成され、そのガイド孔６ｂにガイドピン１４が挿通されて支持板３に固定され、このガイド孔６ｂとガイドピン１４により連結杆６は所定の移動範囲で摺動可能に支持される。
【００１９】
連結杆６の略中間部（曲折した部分）に、後述のカム板８の第一係合部８ａが係合する係合孔６ａが形成される。この係合孔６ａにはカム板の第二係合部８ｂの進入を許容する部分も設けられる。連結杆６は、そこに設けたガイド孔６ｂにガイドピン１４を通しそれを支持板３に固定することにより、摺動可能に支持される。この鉤部材４、５及びそれを動かす連結杆６は、パチンコ機の前面枠用の施錠機構を構成する。
【００２０】
取付板２の下部寄りの幅広部分に、シリンダ錠７がその錠軸を孔から基枠体１の内側に挿入するように、取付板２の正面側にねじ又はかしめで固定される。シリンダ錠７の錠軸には第一係合部８ａと第二係合部８ｂを持つカム板８が固定される。図４の反時計方向にカム板８を回動させた場合、カム板の第一係合部８ａは連結杆６の係合孔６ａに係合し、連結杆６を上方に摺動させ、鉤部材４、５を傾動させる。連結杆６のばね掛け部６ｃとガラス枠施錠杆１０のばね掛け部１５間にコイルばね９が掛けられ、さらに、連結杆６のばね掛け部６ｄと前パネル枠施錠杆２０のばね掛け部２５間にコイルばね１１が掛けられ、連結杆６はコイルばね９，１１により下側に付勢される。
【００２１】
さらに、基枠体１の取付板２と支持板３の内側角部に沿って、ガラス枠施錠杆１０が摺動可能に配設される。ガラス枠施錠杆１０は、図７に示すように、横断面を直角（Ｌ字形）に曲折したアングル材状に形成され、そのアングル材の上部と下部に、鉤部１８、１９を前方に向けて突出して形成し、取付板２の拡幅部分に対応した曲折部に、カム板８の第二係合部８ｂと係合可能な係合孔１６を設けている。上下の鉤部１８、１９は、後述のガラス枠に設けた係止片に対し係止可能である、且つ解錠時にガラス枠を開方向に押し出す押し出し部１７を突設して形成される。
【００２２】
また、ガラス枠施錠杆１０の上下部の鉤部１８，１９にはガイド孔１８ａ，１９ａが上下方向（摺動方向）に形成され、このガイド孔１８ａ，１９ａにはガイドピン１２ｃ、１２ｄが挿通され、それが基枠体１のガイド部１２ａ，１２ｂに固定される。さらに、下部の鉤部１９と対向して押し出し部１７が前方に突き出すように形成される。この押し出し部１７は、傾斜した部分を板材の端部を折り曲げて傾斜部１７ａの当接面を滑らかにし且つその面積を増すよう形成され、後述のガラス枠の係止部に下側の鉤部１９が係止して施錠され、シリンダ錠を操作してガラス枠を解錠した際、押し出し部１７の傾斜部１７ａがガラス枠の係止部（ガラス枠の一部）を押し出して、ガラス枠を開放するように動作する。
【００２３】
このような断面Ｌ形のガラス枠施錠杆１０は、基枠体１内の取付板２と支持板３の内側角部に沿って摺動可能に配設され、その支持板３に沿った部分は、連結杆６と支持板３の間に挿入され、鉤部１８は、取付板２の上部のガイド部１２ａに沿って、鉤部１９は、取付板２の中間部下寄りのガイド部１２ｂに沿って配設される。これにより、ガラス枠施錠杆１０は必要な強度を保持しながら細く形成することができ、さらに、良好な摺動性を保持しながら、案内構造を簡単化することができる。図５に示すように、ガラス枠施錠杆１０の一部には、ばね掛け部１５が設けられ、そのばね掛け部１５と連結杆６のばね掛け部６ｃとの間にコイルばね９が掛けられ、ガラス枠施錠杆１０はコイルばね９により上方へ付勢される。
【００２４】
さらに、基枠体１の下部における支持板３の外側には、図２に示すように、前パネル２８を施錠するための前パネル施錠杆２０が設けられる。前パネル施錠杆２０は、帯板状の本体内にガイド孔２３ａ，２３ｂを長手方向に設け、そのガイド孔にガイドピン２４ａ，２４ｂを挿通して支持板３に固定することにより、上下摺動可能に取付けられる。前パネル施錠杆２０の中間部には、鉤部２１が取付板２から正面側（シリンダ錠側）に突出して設けられる。
【００２５】
この鉤部２１は、図９〜図１１に示すように、前パネル２８の自由端部に設けた係止片２９が閉鎖時に係止可能であり、前パネル２８は、前面枠３１内の金枠の下部にヒンジを介して開閉自在に装着される。前パネル施錠杆２０の中間部内側には、ばね掛け部２５が内側に曲折して設けられ、支持板３に形成された長孔から基枠体１の内側に挿入される。ばね掛け部２５と連結杆６のばね掛け部６ｄ間に、コイルばね１１が掛けられ、前パネル施錠杆２０は上方（施錠側）に付勢される。前パネル施錠杆２０の上部には操作部２２が設けられる。
【００２６】
このように構成された施錠装置は、図９〜図１１に示す如く、パチンコ機の本体枠３０に開閉可能に装着された前面枠３１の内側における矩形開口部の縁部に、シリンダ錠７の先端を前面に露出させ、鉤部材４、５を本体枠３０側に向けた姿勢で、取付板２を用いて縦に取付けられる。一方、図９に示す如く、本体枠３０の内側の鉤部材４、５に対応した上下位置には、受け金具３４，３５が固定される。さらに、ガラス枠３２が、前面枠３１の開口部に内に取付けられた金枠内にヒンジを開閉可能に取付けられ、そのガラス枠３２の自由端部に、ガラス枠施錠杆の鉤部１８，１９が係止可能な係止片３６，３７が設けられる。
【００２７】
上記施錠装置では、パチンコ機における前面枠３１を本体枠３０に対し閉じると、図９に示すように、施錠装置の上下の鉤部材４、５が本体枠３０側の受け金具３４，３５に当って下方に傾動し、コイルばね９、１１の付勢力により戻って係止され、施錠状態となる。
【００２８】
前面枠３１を解錠する場合は、キーによってシリンダ錠７を右側に回し、カム板８を図４の反時計方向に回転させると、カム板８の第一係合部８ａが連結杆６の係合孔６ａと係合してこれを上方へ摺動させ、上下の鉤部材４、５を下方に傾動させる。この鉤部材４、５の傾動によって、本体枠の受け金具３４，３５との係合が外れ、前面枠３１は開放可能な状態となる。
【００２９】
一方、ガラス枠３２を前面枠３１内に閉じると、図９に示すように、ガラス枠３２内の係止片３６，３７がガラス枠施錠杆１０の鉤部１８、１９に当り、これを下方に摺動させながら閉じられ、コイルばね９の付勢力によりガラス枠施錠杆１０が上方に戻る。これにより、鉤部１８、１９に係止片３６，３７が係止され、ガラス枠３２は施錠状態となる。
【００３０】
ガラス枠３２を解錠する場合は、シリンダ錠７のキーを左側に回して、カム板８を図４の時計方向へ回動させると、カム板８の第二係合部８ｂがガラス枠施錠杆１０の係合孔１６と係合してこれを下方へ摺動させ、上下の鉤部１８、１９を下方へ摺動させる。この動作によって、ガラス枠３２の係止片３６，３７と鉤部１８、１９との係合が外れ、ガラス枠３２は解錠される（図１０）。このとき、押し出し部１７の傾斜部がガラス枠３２の係止片３７またはガラス枠の一部を押すことにより、ガラス枠３２が前方に押し出され、ガラス枠３２は開放される。
【００３１】
上皿等を前面に取付けた前パネル２８を開く場合、ガラス枠３２を開いた状態で、その開口部から内側に手を入れ、前パネル施錠杆２０の操作部２２を持って押し下げる。これによって、前パネル施錠杆２０が下降し、その鉤部２１と前パネル側の係止片２９との係合が外れ、前パネル２８が解錠され、開かれる。前パネル２８を閉鎖する場合、前パネル２８を閉じる方向に押し込むと、その係止片２９が前パネル施錠杆２０の鉤部２１に係止され、施錠状態となる。
【００３２】
なお、本発明は上記実施例に限定されるものではなく、下記のような形態でも実施することができる。
【００３３】
上記実施形態の鉤部材４、５は上向きに取付けられ、下側に傾動して施錠状態となったが、鉤部材を下向きに取付け、上側に傾動して施錠状態となるように構成することもできる。その場合、連結杆の端部は鉤部材の枢支ピンより先端側に連結すればよい。
【００３４】
上記実施形態の前パネル施錠杆２０は支持板３の外側に配設したが、ガラス枠施錠杆１０のように支持板３の内側に上下摺動可能に配設することもできる。
【００３５】
上記実施形態では、ガラス枠施錠杆１０の上下の鉤部１８、１９に、ガイド孔１８ａ，１９ａを上下方向に形成し、このガイド孔１８ａ，１９ａにガイドピン１２ｃ、１２ｄを挿通し、それらのガイドピンを基枠体１のガイド部１２ａ，１２ｂに固定したが、それとは反対に、基枠体１のガイド部１２ａ，１２ｂにガイド孔を形成し、鉤部１８，１９に固定したガイドピンをそのガイド孔に挿通させて、ガラス枠施錠杆１０の鉤部１８，１９をガイドする構造とすることもできる。
【図面の簡単な説明】
【００３６】
【図１】本発明の一実施例を示す施錠装置の正面図である。
【図２】その左側面図である。
【図３】その右側面図である。
【図４】その背面図である。
【図５】施錠装置の分解右側面図である。
【図６】基枠体１の右側面図（ａ）と背面図（ｂ）である。
【図７】ガラス枠施錠杆の右側面図（ａ）と背面図（ｂ）である。
【図８】連結杆６の右側面図（ａ）と背面図（ｂ）である。
【図９】使用状態における施錠時の左側面図である。
【図１０】使用状態におけるガラス枠解錠時の右側面図である。
【図１１】使用状態における本体枠解錠時の右側面図である。
【符号の説明】
【００３７】
１−基枠体
２−取付板
３−支持板
４，５−鉤部材
６−連結杆
７−シリンダ錠
８−カム板
１０−ガラス枠
１７−押し出し部
１８，１９−鉤部
２０−前パネル施錠杆
２１−鉤部                                                                        
【図１】
2005160535.tif 000003
【図２】
2005160535.tif 000004
【図３】
2005160535.tif 000005
【図４】
2005160535.tif 000006
【図５】
2005160535.tif 000007
【図６】
2005160535.tif 000008
【図７】
2005160535.tif 000009
【図８】
2005160535.tif 000010
【図９】
2005160535.tif 000011
【図１０】
2005160535.tif 000012
【図１１】
2005160535.tif 000013